(57)【要約】【課題】  複数の部品供給機からエア給送されるねじ等の頭付き棒材の給送路を一つにする際に使用される部品供給機のホースアダプタを提供する。【解決手段】  本発明は、複数の案内路６，７が交叉して設けられたアダプタ本体４ａを備え、このアダプタ本体４ａに前記案内路６，７と連通する排出路１３を設けるとともにこの排出路１３に連通して連接管１１を設け、前記案内路６，７それぞれを通過するねじが排出路１３を通過して所定作業位置まで供給されるように構成した部品供給機のホースアダプタにおいて、アダプタ本体４ａの案内路６，７の端部にホース接手１０と連接管１１とが選択的に取付け可能な第１取付け穴８および第２取付け穴９を設けている。そのため、これら取付け穴８，９に別のホースアダプタ４ｂ，４ｃの連接管１１を取付けることができるので、複数の異なるねじに対応してねじの案内路を簡単に増やすことができる。【選択図】図１
2009256001.tif 000002
【特許請求の範囲】
【請求項１】
複数の案内路が交叉して設けられたアダプタ本体を備え、このアダプタ本体に前記案内路と連通する排出路を設けるとともにこの排出路に連通して連接管部を設け、前記案内路それぞれを通過する頭付き棒材が排出路を通過して所定作業位置まで供給されるように構成した部品供給機のホースアダプタにおいて、
アダプタ本体の案内路の端部にホース接手と別のアダプタ本体の連接管部とが選択的に取付け可能な取付け穴を設けたことを特徴とする部品供給機のホースアダプタ。
【請求項２】
案内路および連接管部が一直線上に延びるようにアダプタ本体の取付け穴に別のアダプタ本体の連接管部を取付けたことを特徴とする請求項１に記載の部品供給機のホースアダプタ。
【発明の詳細な説明】
【技術分野】
【０００１】
本発明は、複数の部品供給機からホース内を通ってエア給送されるねじ等の頭付き棒材の給送路を一つにする際に使用される部品供給機のホースアダプタに関する。
【背景技術】
【０００２】
従来、脚部長さが異なる２種類のねじを１本のドライバビットで締付ける場合には、２台の部品供給機を配置して、これら部品供給機からねじがドライバビットの下方の所定作業位置にエア給送されている。この時、２台の部品供給機からエア給送されるねじを１個所に集めるため、Ｙ字状に交叉して延びる２本の案内路を備えたホースアダプタが使用されている。また、このホースアダプタは前記案内路と連通する排出路を有しており、いずれの案内路を通過するねじであってもこれを排出路を通って所定締付け位置まで案内できるように構成されている。
【０００３】
【特許文献１】実開昭５３−１３８２９９号公報
【特許文献２】実開平３−１２５７２４号公報
【発明の開示】
【発明が解決しようとする課題】
【０００４】
このホースアダプタでは、各案内路の端部に位置してホース接手のみを取付可能な取付け穴が、また排出路の端部に位置して連接管部が設けられている。そのため、ねじが２種類に限定されている時には支障なく、これらねじを所定作業位置に供給できる。しかしながら、ねじが３種類以上となると、このホースアダプタでは対応できなくなることから、図３に示すように部品供給機（図示せず）の台数に応じて横一列に整列して配置された案内管２１ａとこれらに連通するように移動可能な排出管２１ｂとを備えた振り分け装置２１が利用されている。この振り分け装置２１では、排出管２１ｂはいずれかの案内管２１ａに連通するように水平移動するように構成されているが、この水平移動が複数段のストロークを備えたシリンダ２２により制御されている。そのため、部品供給機の台数が多くなると、シリンダ２２が大型化してしまい、実用に供さない装置になってしまう等の欠点が生じている。
【課題を解決するための手段】
【０００５】
本発明は上記課題に鑑みて創成されたものであり、複数の案内路が交叉して設けられたアダプタ本体を備え、このアダプタ本体に前記案内路と連通する排出路を設けるとともにこの排出路に連通して連接管部を設け、前記案内路それぞれを通過する部品が排出路を通過して所定作業位置まで供給されるように構成した部品供給機のホースアダプタにおいて、アダプタ本体の案内路の端部にホース接手と別のアダプタ本体の連接管部とが選択的に取付け可能な取付け穴を設けている。
【０００６】
また、前記案内路および連接管部が一直線上に延びるようにアダプタ本体の取付け穴に別のアダプタ本体の連接管部を取付けてもよい。
【発明の効果】
【０００７】
本発明のホースアダプタでは、アダプタ本体の案内路の端部の取付け穴がホース接手と別のアダプタ本体の連接管部とのいずれでも取付け可能となっている。そのため、部品供給機の台数が３台以上になると、ホースアダプタの連接管部を別のホースアダプタの取付け穴に取付けることにより、複数のホースアダプタを直列に接続することができ、部品供給機の台数に応じて頭付き棒材の案内路を簡単に確保することができる。
【０００８】
また、各ホースアダプタの案内路が一直線となるようにホースアダプタを接続する場合には、ホース内を送られるエアの流れが円滑となり、ねじを確実に作業位置まで供給することができる。
【発明を実施するための最良の形態】
【０００９】
以下、本発明を実施するための最良の形態を図面に基づいて説明する。図１および図２において、１は頭付き棒材の一例のねじ（図示せず）を１個毎分離して供給する部品供給機であり、１台のねじ締め工具２に対して４台の部品供給機１が配置されている。これら部品供給機１はそれぞれ脚部長さの異なるねじを貯留しており、これらねじをねじ締め工具２の所定作業位置にエア給送するように構成されている。また、これら部品供給機１とねじ締め工具２との間には、取付け台３を介してホースアダプタ４が配置されており、４台の部品供給機１から給送されるねじの給送路を一つにするように構成されている。このホースアダプタ４は、第１アダプタ４ａ、第２アダプタ４ｂおよび第３アダプタ４ｃからなっており、これらアダプタ４ａ，４ｂ，４ｃはそれぞれ同一形状のアダプタ本体５を有している。これらアダプタ本体５にはそれぞれＹ字状に交叉して延びる第１案内路６および第２案内路７が設けられており、これら案内路６，７の端部に位置してそれぞれ第１取付け穴８、第２取付け穴９が設けられている。この第１取付け穴８および第２取付け穴９にはめねじ部が形成されており、このめねじ部と螺合するおねじ部を持つ後記ホース接手１０および連接管１１が選択的に取付け可能に構成されている。
【００１０】
前記第１アダプタ４ａの第１取付け穴８および第２取付け穴９には、それぞれホース接手１０がシール材（図示せず）を介して取付けられており、これらホース接手１０には２台の部品供給機１から延びるホース（図示せず）がそれぞれ接続されている。また、前記第２アダプタ４ｂおよび第３アダプタ４ｃの第２取付け穴９にはホース接手１０がシール材（図示せず）を介して取付けられており、それぞれのホース接手１０には残りの部品供給機から延びるホースが接続されている。
【００１１】
一方、前記第１アダプタ４ａ、第２アダプタ４ｂおよび第３アダプタ４ｃのアダプタ本体５には第１案内路６と連通する排出路１３が設けられており、この排出路１３の端部に位置して第３取付け穴１４が設けられている。この第３取付け穴１４にはめねじ部が形成されており、このめねじ部と螺合するねじ部を持つホース接手１０および連接管１１が選択的に取付け可能に構成されている。また、第１アダプタ４ａおよび第２アダプタ４ｂの第３取付け穴１４にはそれぞれ第２アダプタ４ｂ、第３アダプタ４ｃの連接管部の一例をなす連接管１１が取付けられており、各アダプタ４ａ，４ｂ，４ｃの案内路が一直線となるように構成されている。さらに、前記第３アダプタ４ｃの第３取付け穴１４にはホース接手１０が取付けられており、このホース接手１０にはねじ締め工具２の所定作業位置にねじを給送するホースが接続されている。
【００１２】
上記ホースアダプタにおいて、部品供給機１からねじが１個毎エア給送されて第１アダプタの第１案内路に達すると、これが第１アダプタ４ａの第１取付け穴８を通過する。この時には、第１アダプタ４ａ、第２アダプタ４ｂおよび第３アダプタ４ｃの第１案内路６、６，６が直線的に延びているため、エアはスムーズに流れて、ねじが第３アダプタ４ｃの排出路１３を通過し、ねじ締め工具２の所定作業位置までエア給送される。この間、ねじをエア給送するエアが所定作業位置付近に達すると、跳ね返り方向のエアの流れが発生する。このエアの流れによりホース内が圧縮されるが、各アダプタ４ａ，４ｂ，４ｃの第２取付け穴９とこれに繋がるホースの容積分だけその圧縮が緩和され、ねじのエア給送を円滑に行うことができる。
【００１３】
また、ねじが各アダプタ４ａ，４ｂ，４ｃの第２取付け穴９から供給される場合には、同様に第１アダプタ４ａの第１取付け穴８およびねじが通過する第１アダプタ４ａ以外のアダプタ４ｂ，４ｃの第２取付け穴９およびこれらに連なるホースの容積分だけ、跳ね返り方向のエアによる圧縮が緩和される。そのため、ねじはエアの跳ね返りの影響を受けることなく、所定作業位置に供給される。しかも、ねじの種類が増えても所望種類のねじを貯留する部品供給機１を作動させるだけでよく、通路を切り替える振り分け装置も必要ないばかりか、ねじの給送路を切替えるための特別な制御も必要がない等の利点がある。
【図面の簡単な説明】
【００１４】
【図１】本発明に係るホースアダプタの要部拡大断面図である。
【図２】本発明に係るホースアダプタの取付け状態を示す全体説明図である。
【図３】従来例を示す振り分け装置の要部を切り欠いた説明図である。
【符号の説明】
【００１５】
１  部品供給機
２  ねじ締め工具
３  取付け台
４  ホースアダプタ
４ａ  第１アダプタ
４ｂ  第２アダプタ
４ｃ  第３アダプタ
５  本体
６  第１案内路  
７  第２案内路  
８  第１取付け穴  
９  第２取付け穴
１０  ホース接手
１１  連接管
１３  排出路
１４  第３取付け穴
２１  振り分け装置
２１ａ  案内管
２１ｂ  排出管
２２  シリンダ
【図１】
2009256001.tif 000003
【図２】
2009256001.tif 000004
【図３】
2009256001.tif 000005